(57)【要約】【課題】インクジェット方式の印刷装置における記録ヘッドの傾き補正処理において、より滑らかな傾き補正を実現する。【解決手段】制御部１のメモリ１２には、複数個の傾き補正値配列テーブル１３が記憶されている。メモリ１２に記憶された補正値配列テーブル１３から、補正対象となる角度に応じた補正値配列テーブル２４を読み出して画像処理装置２のＲＡＭ２３に格納する。画像処理装置２の傾き補正部２２では、ＲＡＭ２３の補正値配列テーブル２４を参照して、傾き補正処理を画像データに対して実施する。印刷装置４では、画像処理装置２からの、傾きが補正された画像データに基づいてヘッド４３からインクを吐出し、画像を形成する。【選択図】図１４
2014148057.tif 000002
【特許請求の範囲】
【請求項１】
所定の画像データに基づいてインクを吐出する複数のノズルを有する記録ヘッドを、所定の記録媒体に対して移動させ、前記ノズル毎に前記記録媒体の主走査ライン上に前記画像データに基づく画像を形成し、前記記録ヘッドの前記主走査ラインに対する傾きによる前記画像の傾きを補正するために、前記画像データを補正する画像形成装置において、前記記録ヘッドの傾きに基づいて算出される、基準のノズルに対する各ノズル位置のズレ量に応じた補正値を、前記各ノズル位置に対する前記各主走査ライン上の所定の画素位置に対応して配置した記憶手段と、前記記憶手段を参照して前記画像データを補正する補正手段を備えることを特徴とする画像形成装置。
【請求項２】
前記補正値は、前記所定の画素位置における移動量であり、前記補正手段は、前記移動量に応じて前記画像データの画素値を補正することを特徴とする請求項１記載の画像形成装置。
【請求項３】
前記補正値は、前記所定の画素位置における移動量と、隣接画素への画素値の分配量であり、前記補正手段は、前記移動量と隣接画素への画素値の分配量に応じて前記画像データの画素値を補正することを特徴とする請求項１記載の画像形成装置。
【請求項４】
前記所定の画素位置における移動量の総和を所定範囲の画素数で除した値は、前記ズレ量に等しいことを特徴とする請求項２または３記載の画像形成装置。
【請求項５】
前記記憶手段は、前記記録ヘッドの複数の傾きにそれぞれ対応した前記補正値を配置したテーブルを複数個記憶していることを特徴とする請求項１記載の画像形成装置。
【請求項６】
前記記憶手段は、前記記録ヘッドのノズル数とインターレース回数に基づくライン周期の補正値を副走査方向に配置し、前記補正手段は前記記憶手段を参照して、インターレース印字時の画像データを補正することを特徴とする請求項１記載の画像形成装置。
【請求項７】
前記補正手段は、前記記憶手段の副走査ライン位置に応じたノズル位置を参照して、前記インターレース印字時の画像データを補正することを特徴とする請求項６記載の画像形成装置。
【請求項８】
所定の画像データに基づいてインクを吐出する複数のノズルを有する記録ヘッドを、所定の記録媒体に対して移動させ、前記ノズル毎に前記記録媒体の副走査ライン上に前記画像データに基づく画像を形成し、前記記録ヘッドの前記副走査ラインに対する傾きによる前記画像の傾きを補正するために、前記画像データを補正する画像形成装置において、前記記録ヘッドの傾きに基づいて算出される、基準のノズルに対する各ノズル位置のズレ量に応じた補正値を、前記各ノズル位置に対する前記各副走査ライン上の所定の画素位置に対応して配置した記憶手段と、前記記憶手段を参照して前記画像データを補正する補正手段を備えることを特徴とする画像形成装置。
【請求項９】
少なくとも画像形成装置を備える画像形成システムにおいて、前記画像形成装置は、所定の画像データに基づいてインクを吐出する複数のノズルを有する記録ヘッドを、所定の記録媒体に対して移動させ、前記ノズル毎に前記記録媒体の主走査ライン上に前記画像データに基づく画像を形成し、前記画像形成システムは、前記記録ヘッドの傾きに基づいて算出される、基準のノズルに対する各ノズル位置のズレ量に応じた補正値を、前記各ノズル位置に対する前記各主走査ライン上の所定の画素位置に対応して配置した記憶手段と、前記記録ヘッドの前記副走査ラインに対する傾きによる前記画像の傾きを補正するために、前記記憶手段を参照して前記画像データを補正する補正手段と、を備えることを特徴とする画像形成システム。
【請求項１０】
少なくとも画像形成装置を備える画像形成システムにおいて、前記画像形成装置は、所定の画像データに基づいてインクを吐出する複数のノズルを有する記録ヘッドを、所定の記録媒体に対して移動させ、前記ノズル毎に前記記録媒体の副走査ライン上に前記画像データに基づく画像を形成し、前記画像形成システムは、前記記録ヘッドの傾きに基づいて算出される、基準のノズルに対する各ノズル位置のズレ量に応じた補正値を、前記各ノズル位置に対する前記各副走査ライン上の所定の画素位置に対応して配置した記憶手段と、前記記録ヘッドの前記副走査ラインに対する傾きによる前記画像の傾きを補正するために、前記記憶手段を参照して前記画像データを補正する補正手段と、を備えることを特徴とする画像形成システム。
【請求項１１】
請求項１乃至８のいずれか１項に記載の画像処理装置の各手段としてコンピュータを機能させるプログラム。
【発明の詳細な説明】
【技術分野】
【０００１】
本発明は、記録ヘッドの傾きを補正する画像形成装置、画像形成システムおよびプログラムに関する。
【背景技術】
【０００２】
インク吐出部を主走査方向に走査させつつインク吐出を行うことによって画像を形成する印刷機においては、インク吐出部の取り付け精度の影響や、走査時のヨーイングなどの影響により、画像形成が斜めに傾いてしまう問題がある。このような課題に対して、画像データを予め逆の角度に傾き補正を実施することにより、狙いとする画像を得る技術が提案されている。
【０００３】
例えば、特許文献１では、記録ヘッドの傾きに起因する画像の傾きを補正するために、記録ヘッド位置の補正量をメモリに保持し、補正量に応じて画像を１ドット単位で移動させ、ヘッドの傾きとは逆方向に画像データを予め傾かせることにより、印字画像をヘッドの傾きが無い状態に近い結果を得ている。
【発明の概要】
【発明が解決しようとする課題】
【０００４】
しかし、上記した記録ヘッドの傾き補正処理では、１ドット単位の補正量により補正を段階的に区切る処理のため、滑らかな補正結果が得難い。
【０００５】
本発明は上記した課題に鑑みてなされたもので、
本発明の目的は、インクジェット方式の印刷装置における記録ヘッドの傾き補正処理において、より滑らかな傾き補正を実現する画像形成装置、画像形成システムおよびプログラムを提供することにある。
【課題を解決するための手段】
【０００６】
本発明は、所定の画像データに基づいてインクを吐出する複数のノズルを有する記録ヘッドを、所定の記録媒体に対して移動させ、前記ノズル毎に前記記録媒体の主走査ライン上に前記画像データに基づく画像を形成し、前記記録ヘッドの前記主走査ラインに対する傾きによる前記画像の傾きを補正するために、前記画像データを補正する画像形成装置において、前記記録ヘッドの傾きに基づいて算出される、基準のノズルに対する各ノズル位置のズレ量に応じた補正値を、前記各ノズル位置に対する前記各主走査ライン上の所定の画素位置に対応して配置した記憶手段と、前記記憶手段を参照して前記画像データを補正する補正手段を備えることを最も主要な特徴とする。
【発明の効果】
【０００７】
本発明によれば、より滑らかな画像の傾き補正を簡易な処理により実現することができる。
【図面の簡単な説明】
【０００８】
【図１】本発明が適用されるインクジェット方式の構成を示す。
【図２】記録ヘッドが理想的な角度で印字される例と、記録ヘッドが主走査方向に対して傾いた状態での印字例を示す。
【図３】従来の補正方法を説明する図である。
【図４】本発明の画像処理装置が実行する画像処理のフローチャートを示す。
【図５】本発明の傾きを補正する補正値の配列を説明する図である。
【図６】補正値配列テーブルを画像データ上に配置した例を示す。
【図７】１画素単位の移動補正量を説明する図である。
【図８】本発明の傾き補正を説明する図である。
【図９】本発明の補正量が１／３画素単位の場合を説明する図である。
【図１０】図９で示す１／３画素単位の補正値を用いた場合の補正方法を示す。
【図１１】インターレース印字における画像ズレの例を説明する図である。
【図１２】インターレース印字時の補正値配列テーブルの例を示す。
【図１３】ラインヘッド方式のインクジェット印刷機の構成を示す。
【図１４】本発明のインクジェット方式の画像記録装置（画像形成装置）の構成を示す。
【発明を実施するための形態】
【０００９】
以下、発明の実施の形態について図面により詳細に説明する。本発明は、同一ライン上で複数個の補正量を２次元配列状に保持し、補正量を擬似的に小数部まで再現させることにより、より滑らかな傾き補正を実現する。インクジェット方式の印刷機において、ヘッド取り付け精度の影響などにより、印刷画像が傾いてしまう場合に際して、画像データを予め逆方向に傾けておくことにより、本来の狙いとする画像を得る方法において、１ライン中に複数個の補正量を用いることにより、補正結果がより滑らかな画像となる。
【実施例１】
【００１０】
図１（ａ）は、本発明が適用されるインクジェット方式の構成を示す。図１（ａ）において、記録ヘッド１０１をガイドロッド１０２上で主走査方向（主走査ライン）に移動させる際、副走査方向に並べられたノズル１０４からインク吐出を行うことにより記録紙１０３上に画像を形成する。ここで、記録ヘッド１０１を主走査方向に移動させつつインク吐出を行う動作をスキャン動作と定義する。１回のスキャン動作が完了した後、記録紙１０３を副走査方向に搬送する。以降、再びスキャン動作を実施し、以降、スキャン動作と記録紙１０３の搬送を交互に繰り返し実施し、記録紙１０３の全面に画像を印字する。
【００１１】
図１（ｂ）は、記録ヘッド内の構成を示す。図１（ｂ）の例では、Ｋ色単色のノズル１０４からなるノズル列１０５の例を示すが、複数色のノズル列を並べた場合にも適用可能である。
【００１２】
図２（ａ）は、記録ヘッドが理想的な角度で印字される場合の例を示す。記録ヘッド１０１が主走査方向（スキャン方向）に対して垂直に配置された状態で、記録紙１０３に画像が形成された場合、傾きのない画像が得られる。このため、１スキャン目と２スキャン目の境界は繋ぎ目が目立たない画質が得られる。正常な印刷動作では、図２（ａ）に示すように、インク滴１０６が分布する。
【００１３】
図２（ｂ）は、記録ヘッドがスキャン方向に対して傾いた状態での印字例を示す。インク滴１０６は斜めに印字され、これを主走査方向に繰り返すため、画像は平行四辺形状に傾いた画像となる。このため、スキャン間の境界で画像ズレが目立つ。図２（ｂ）に示す例では、ノズル数が１２個で図示されているが、実際のノズル数は１００個を越えるような構成を採る。
【００１４】
図３は、従来の補正方法を説明する図である。記録ヘッドの傾きによる影響は、スキャン動作を重ねる際に主走査方向のズレが目立つが、副走査方向のズレは微小であり、ほとんど目立たない。そのため、傾き補正処理は、主走査方向に画素を移動させる技術が提案されている。
【００１５】
図３の例では、補正値の画素分だけ画像データを右側に移動させる処理となっている。なお、ズレ量とは、１ドットの印字間隔を「１」とし、基準ノズルに対して各ノズルのズレを数値化したものである。補正値はこのズレ量を四捨五入した値となる。基準ノズルは、記録ヘッドの中央を取る方式では、ズレ量が正、負の両方の範囲となるが、図の例のように、傾いた結果、一番右側に位置するノズルを基準とすると、ズレ量は正の数だけで取り扱える。なお、ノズルのズレ量の求め方は、例えば特開２００５−１３２０６６号公報、特開２００９−８３６号公報に記載されている。
【００１６】
図４は、本発明の画像処理装置が実行する画像処理のフローチャートを示す。ステップ２０１において、画像データの非線形変換を行い、印字濃度の特性に合わせるγ補正を行い、ステップ２０２において、画像データの階調数を減らす階調処理を行い、傾き補正部２２（図１４）は、本発明による傾き補正を行い、ステップ２０４において、インク吐出用にデータを並び替える。
【００１７】
図５（ａ）は、本発明の傾きを補正する補正値の配列を説明する図である。制御部１（図１４）は、記録ヘッド１０１の傾きを基に、基準ノズル３０１と各ノズル（比較ノズル）３０２の主走査方向のズレ量３０３を算出する。各ノズル位置に対する各主走査方向のズレ量３０３に対応して補正値Ｓを配列した補正値配列テーブル３０４を作成する。
【００１８】
補正値は、主走査方向に繰返し周期ｍ個（図５（ａ）の例では、ｍ＝１０）の値を保持する。補正値は整数値であるが、主走査方向の平均値３０５をとると、ズレ量３０３と一致もしくは近似値となるようにする。
【００１９】
ここで、「＋１」とは、その画素位置に形成されるドットを１画素（ドット）右にシフトしてドットを形成する、補正値（移動量）であることを意味し、「＋２」は、２画素（ドット）右にシフトしてドットを形成する、補正値（移動量）であることを意味する。
【００２０】
例えば、ズレ量０．１の場合、１０個の配列位置（画素位置）の内、１個の画素位置に対応して補正値「＋１」を配置する。従って、その平均値３０５は１／１０＝０．１（画素位置の移動量の総和（１）を所定範囲（ｍ）の画素数（１０）で除した値）となり、ズレ量３０３に等しい。同様に、ズレ量０．６の場合、１０個の配列位置の内、６個の画素位置に対応して補正値「＋１」が配置され、その平均値３０５はズレ量３０３に一致する。
【００２１】
なお、上記した補正値の配列は一例であって、入力される画像の特徴などに合わせて配列が変化する。
【００２２】
図５（ｂ）、（ｃ）は、記録ヘッドの傾きとズレ量の関係を説明する図である。基準線分３０６は、記録ヘッドの理想的な角度であり、副走査方向と同じである。図５（ｂ）では、記録ヘッド（基準ノズル３０１の傾き線分３０８）が基準線分３０６から時計回り側に、傾き３０７（＋１.０度）で傾いた状態（プラスの傾き）を示し、図５（ｃ）では、記録ヘッド（基準ノズル３０１の傾き線分３０８）が基準線分３０６から反時計回り側に、傾き３０７（−１.０度）で傾いた状態（マイナスの傾き）を示す。図５（ｂ）、（ｃ）に示すように、補正値の配列は、傾きの変化に応じてズレ量が変動し、そのズレ量に対応して補正値の配列も変動する。
【００２３】
図６は、補正値配列テーブルを画像データ上に配置した例を示す。画像データの主走査方向にはｍ画素、画像データの副走査方向にはｎライン周期で補正値配列テーブル３０４を繰り返し配置し、傾きを補正する。
【００２４】
図７は、１画素単位の移動補正量を説明する図である。図７において、補正値Ｓ（０、１、２）は、図５（ａ）の補正値配列テーブル３０４中の「０」「＋１」「＋２」に対応する。画素値Ｄは、階調処理を行った後の画像データの画素値であり、ここでは４階調（画素値０、１、２、３）の画素値である。
【００２５】
補正結果１は、入力された画素値Ｄと同一の主走査ライン上の画素位置の座標値であり、補正結果２は、入力された画素値Ｄの座標値の１画素右側の座標値であり、補正結果３は、入力された画素値Ｄの座標値の２画素右側の座標値である。
【００２６】
補正量は、１画素単位の移動補正を示す。補正量が０画素では、入力された画素値Ｄの移動を行わず、補正量が１画素では、入力された画素値Ｄを１画素右側に移動させ、補正量が２画素では、入力された画素値Ｄを２画素右側に移動させる。補正値Ｓが１の場合、補正結果２に画素値Ｄが出力され、補正結果１、３は０となる。
【００２７】
図８は、本発明の傾き補正を説明する図である。ここでは、画像データは４階調（０〜３）で、最大の移動量は２画素を例として説明する。
【００２８】
画像データの画素値Ｄとその画素に対応した補正値Ｓから、１画素単位で補正結果を算出する。この例では、最大の移動量が２画素であるので、１画素に対して３画素分の結果が算出される。
【００２９】
座標０の補正値Ｓは１であるので、座標０の画素値Ｄ（２）は、１画素右に移動され、座標０の補正結果が算出される。座標１の補正値Ｓは１であるので、座標１の画素値Ｄ（１）は、１画素右に移動され、座標１の補正結果が算出される。以下、同様に処理され、各座標の補正結果が算出されたら、隣接する３画素分の補正結果を加算し、加算結果Ｄ’を算出する。
【００３０】
ここでＤ’の値が最大値（この例では、３）を越えた画素位置については、以下のように、左右の隣接画素に値を振り分ける。  
（Ｄ’−最大値）×α１    ・・・隣接左画素へ加算
（Ｄ’−最大値）×α２    ・・・隣接右画素へ加算
ここで、α１、α２は０〜１の間の値をとる。
【００３１】
上記した隣接画素への値の振り分けにより、最終結果Ｄｏｕｔが再び最大値を超えた場合は、その結果を最大値に置き換える。最終結果Ｄｏｕｔが傾き補正された画像データとなる。
【００３２】
このように、傾きの補正値を２次元配列状に保持し、主走査方向に補正値を変動させることにより、１ドット以下の画素移動を擬似的に小数部まで再現させ、より滑らかな傾き補正を実現することができる。
【００３３】
図９は、本発明の補正量が１／３画素単位の場合を説明する図である。図５、７の補正値配列テーブルでは、画像データの移動量の単位が１画素単位である。これに対して、図９に示す補正量は、１／３画素単位の補正方法（隣接画素への画素値の分配と右移動）を示している。
【００３４】
補正値Ｓが１、画素値Ｄが３の場合、画素値Ｄ（＝３）の１／３（補正量１／３画素）である画素値１（分配量）が補正結果２として出力（分配）され、残りの画素値２が補正結果１として出力（分配）される。また、補正値Ｓが２、画素値Ｄが３の場合、画素値Ｄ（＝３）の２／３（補正量２／３画素）である画素値２（分配量）が補正結果２として出力され、残りの画素値１が補正結果１として出力される。なお、補正結果１は、図７と同様に、入力された画素値Ｄと同一の主走査ライン上の画素位置の座標値であり、補正結果２は、入力された画素値Ｄの座標値の１画素右側の座標値であり、補正結果３は、入力された画素値Ｄの座標値の２画素右側の座標値である。
【００３５】
図１０は、図９で示す１／３画素単位の補正値を用いた場合の補正方法を示す。処理方法は、図８に示す補正方法とほぼ同様であり、１画素単位の補正量を１／３画素単位に変更している点である。例えば、座標０の補正値Ｓは４であるので、座標０の画素値Ｄ（２）は、画素値１が補正結果２（１画素右）として出力され、残りの画素値１が補正結果３（２画素右）として出力される。
【００３６】
加算結果Ｄ’が最大値（階調値３）を超えた画素については、隣接画素に超えた分（画素値１）を加算し、最終結果Ｄｏｕｔを出力する。このように、３階調以上の印字機能を有する場合、階調値を打ち分けることでより滑らかな補正結果を得ることができる。
【００３７】
図１１は、インターレース印字における画像ズレの例を説明する図である。副走査方向を２回の印字で交互に打ち分けるインターレース印字の場合の画像ズレの例を示し、記録ヘッドの傾きによるズレ量は、図５と同様の値を用いている。
【００３８】
この場合、１ライン目は１スキャン目のノズル番号ｎ６（ズレ＝量０．６）で印字される。次に、２ライン目は２スキャン目のノズル番号ｎ０（ズレ量＝０．０）で印字される。以下同様に、奇数ラインは１スキャン目、偶数ラインは２スキャン目のズレ量となる。１スキャン目のノズルが終端ｎ１１に達すると、次の奇数ラインは、３スキャン目のノズル番号ｎ０（ズレ量＝０．０）から順次使用される。２スキャン目の終端ノズルｎ１１までが１周期となり、これを図１１のスキャン番号に示す。これ以降のラインは、スキャン番号が進むが、ズレ量については同じ値を繰り返す。
【００３９】
図１２（ａ）は、インターレース印字時の補正値配列テーブルの例を示す。図１２（ａ）は、図１１に示すズレ量を基に、補正値配列テーブル３０４ａを作成している。この場合、副走査方向の傾き周期は、２記録ヘッド分のノズル数周期となる。補正値配列の平均値がズレ量と一致する点は、図５（ａ）で説明したものと同様である。
【００４０】
このようにインターレース印字における傾き補正は、１ヘッドのノズル数×インターレース回数分のライン周期の補正値配列テーブルを用いることで、傾きを補正することができる。このように、インターレース印字するような場合においても画像の傾きを補正することができる。
【００４１】
図１２（ｂ）は、インターレース印字時に、図５（ａ）の補正値配列テーブルを用いる例を示す。図１２（ａ）と異なる点は、補正値配列テーブルの何ノズル目を使用するかを、副走査ライン位置によって判定する点である。
【００４２】
図１１に示す１／２インターレースの場合、１ライン目はノズル番号ｎ６、２ライン目はノズル番号ｎ０、３ライン目はノズル番号ｎ７、と偶数ライン、奇数ラインで参照位置が交互に異なる。すなわち、ライン位置と参照するノズル位置は、インターレース方式やノズル数によって異なる。このため、図１２（ｂ）は、図１２（ａ）に比べて参照位置を判断する処理が必要となるが、保持（記憶）するズレ量の補正値配列テーブルの情報量は半分に削減される。
【００４３】
図１３は、ラインヘッド方式のインクジェット印刷機の構成を示す。ラインヘッド方式では、複数のヘッドを主走査方向に、用紙幅分以上に繋げることにより、画像形成を行う。
【００４４】
本発明をラインヘッド方式のインクジェット印刷機に適用するには、記録ヘッドごとに補正値を保持（記憶）し、補正方向を主走査方向から副走査方向に変更することで、上記したと同様の方法で傾きの補正を行うことができる。
【００４５】
図１４は、本発明のインクジェット方式の画像記録装置（画像形成装置）の構成を示す。画像記録装置は、制御部１、画像処理装置２、操作表示部３、印刷装置４からなる。制御部１のＣＰＵ１１は、画像記録装置全体を制御し、制御部１のメモリ１２には、複数個の傾き補正値配列テーブル１３が記憶されている。この例では、＋１度から−１度の傾きまでを０．１度刻みで記憶（保持）している。制御部１のメモリ１２に記憶された補正値配列テーブル１３から、補正対象となる角度に応じた補正値配列テーブル２４を読み出して、画像処理装置２のＲＡＭ２３に格納する。
【００４６】
画像処理装置２の画像処理部２１では、印刷対象となる画像データに対して図４に示す画像処理（γ補正、階調処理、データ並び替え）を実施する。画像処理装置２の傾き補正部２２では、ＲＡＭ２３の補正値配列テーブル２４を参照して、本発明の傾き補正処理を画像データに対して実施する。図１４の例では、＋０．８度の補正値配列テーブル２４を格納している。
【００４７】
印刷装置４では、画像処理装置２からの、傾きが補正された画像データに基づいて、記録ヘッド４３からインクを吐出することで画像を形成する。ユーザーは、操作表示部３を用いて印刷条件等を指示し、また、印刷結果の傾き状況を基に傾き補正の角度などを指定する。
【００４８】
なお、本発明は上記した構成に限定されず、例えば、上記した画像処理装置を外付けサーバ（ＤＦＥ：Ｄｉｇｉｔａｌ  Ｆｒｏｎｔ  Ｅｎｄ）に搭載し、ＤＦＥと画像形成装置を専用線で接続した画像形成システムにも適用できる。
【００４９】
本発明は、前述した実施例の機能を実現するソフトウエアのプログラムコードを記録した記憶媒体を、システムあるいは装置に供給し、そのシステムあるいは装置のコンピュータ（ＣＰＵやＭＰＵ）が記憶媒体に格納されたプログラムコードを読出し実行することによっても達成される。この場合、記憶媒体から読出されたプログラムコード自体が前述した実施例の機能を実現することになる。プログラムコードを供給するための記憶媒体としては、例えば、ハードディスク、光ディスク、光磁気ディスク、不揮発性のメモリカード、ＲＯＭなどを用いることができる。また、コンピュータが読出したプログラムコードを実行することにより、前述した実施例の機能が実現されるだけでなく、そのプログラムコードの指示に基づき、コンピュータ上で稼働しているＯＳ（オペレーティングシステム）などが実際の処理の一部または全部を行い、その処理によって前述した実施例の機能が実現される場合も含まれる。さらに、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって前述した実施例の機能が実現される場合も含まれる。また、本発明の実施例の機能等を実現するためのプログラムは、ネットワークを介した通信によってサーバから提供されるものでも良い。
【符号の説明】
【００５０】
１  制御部
２  画像処理装置
３  操作表示部
４  印刷装置
【先行技術文献】
【特許文献】
【００５１】
【特許文献１】特開２００４−１７４６４号公報
【図２】
2014148057.tif 000003
【図３】
2014148057.tif 000004
【図４】
2014148057.tif 000005
【図５】
2014148057.tif 000006
【図７】
2014148057.tif 000007
【図８】
2014148057.tif 000008
【図９】
2014148057.tif 000009
【図１０】
2014148057.tif 000010
【図１１】
2014148057.tif 000011
【図１２】
2014148057.tif 000012
【図１４】
2014148057.tif 000013
【図１】
2014148057.tif 000014
【図６】
2014148057.tif 000015
【図１３】
2014148057.tif 000016